(57)【要約】【課題】ＦＡＸ装置および電話機に通信可能な通信装置において、通信回線から受信した発信者番号に対応する発信者名称を取得できない事態の発生を抑制し、発信者番号と発信者名称とを対応付けて記憶する。【解決手段】ＰＳＴＮに接続され、外部ＦＡＸ装置のＦＡＸ番号と発信者名称とを対応付けて記憶する第１電話帳を有するＦＡＸ装置、及び、外部電話装置の電話番号と発信者名称とを対応付けて記憶する第２電話帳を有するコードレス電話機、と通信可能な通信ＢＯＸにおいて、ＰＳＴＮから受信した信号が、外部ＦＡＸ装置からの信号である場合、当該信号に含まれる発信者番号をＦＡＸ装置に送信する一方、外部電話装置からの信号である場合、当該発信者番号を電話装置に送信する。そして、送信先装置から発信者番号に対応する発信者名称を受信し、発信者名称を発信者番号と対応付けて記憶する。【選択図】図１
2011066584.tif 000002
【特許請求の範囲】
【請求項１】
発信者番号を通知するサービスを有する通信回線に接続され、前記通信回線に接続された外部ファクシミリ装置のファクシミリ番号と発信者名称とを対応付けて記憶する第１記憶手段を有するファクシミリ装置、および、前記通信回線に接続された外部電話装置の電話番号と発信者名称とを対応付けて記憶する第２記憶手段を有する電話装置、と通信可能な通信装置において、
前記通信回線を介して送信される信号を受信する信号受信手段と、
前記信号受信手段により受信した信号が前記外部ファクシミリ装置からの信号であるか、または、前記外部電話装置からの信号であるかを判断する判断手段と、
前記判断手段により前記外部ファクシミリ装置からの信号であると判断された場合、当該信号に含まれる前記発信者番号を前記ファクシミリ装置に送信し、前記外部電話装置からの信号であると判断された場合、当該信号に含まれる前記発信者番号を前記電話装置に送信する番号送信手段と、
前記番号送信手段による前記発信者番号の送信先装置から前記発信者番号に対応する発信者名称を受信する名称受信手段と、
前記名称受信手段により受信した発信者名称を、前記発信者番号と対応付けて記憶する記憶手段と
を備えることを特徴とする通信装置。
【請求項２】
前記第１記憶手段に記憶されたファクシミリ番号のうち、ファクシミリ通信機能のみに対応するファクシミリ番号を記憶するファクシミリ番号記憶手段を備え、
前記判断手段は、前記信号受信手段により受信した信号に含まれる前記発信者番号が、前記ファクシミリ番号記憶手段に記憶されたファクシミリ番号に一致した場合に、当該信号が前記外部ファクシミリ装置からの信号であると判断することを特徴とする請求項１に記載の通信装置。
【請求項３】
前記信号受信手段により受信した信号からファクシミリ通信を示すファクシミリ信号を検出する信号検出手段を備え、
前記判断手段は、前記信号検出手段により前記ファクシミリ信号が検出された場合に、当該信号が前記外部ファクシミリ装置からの信号であると判断することを特徴とする請求項１または２に記載の通信装置。
【請求項４】
前記判断手段は、前記信号検出手段により前記ファクシミリ信号が検出されなかった場合に、当該信号が前記外部電話装置からの信号であると判断することを特徴とする請求項３に記載の通信装置。
【請求項５】
前記発信者番号と前記発信者名称のうち少なくとも一方を表示可能な表示手段と、
前記番号送信手段による前記発信者番号の送信から、前記名称受信手段により前記発信者名称を受信するまでの間、前記発信者番号を前記表示手段に表示する表示制御手段と
を備えることを特徴とする請求項１〜４のいずれかに記載の通信装置。
【請求項６】
前記電話装置が無線通信によって送信する音声信号を前記通信回線に伝送し、前記通信回線から入力された音声信号を前記無線通信によって前記電話装置に伝送する伝送手段と、
前記電話装置による前記通信回線を介した前記外部電話装置との通話の開始を検出する通話開始検出手段と、
前記電話装置による前記通信回線を介した前記外部電話装置との通話の終了を検出する通話終了検出手段と、を備え、
前記通話開始検出手段による通話開始検出したときに、前記名称受信手段により前記発信者名称が受信していない場合、
前記名称受信手段は、前記通話終了検出手段により通話終了が検出されたことを条件として、前記無線接続による通信を介して前記発信者名称を受信することを特徴とする請求項１〜５のいずれかに記載の通信装置。
【請求項７】
前記記憶手段は、前記名称受信手段が、前記番号送信手段による前記発信者番号の送信から所定の時間内に前記発信者名称を受信できたか否かを判断し、前記発信者名称を受信できなかったと判断した場合に、前記発信者名称を受信できなかった旨を示す文字列を、前記発信者名称として、前記発信者番号に対応付けて記憶することを特徴とする請求項１〜６のいずれかに記載の通信装置。
【請求項８】
請求項１〜７のいずれかに記載の通信装置と、前記通信回線に接続された外部ファクシミリ装置のファクシミリ番号と発信者名称とを対応付けて記憶する第１記憶手段を有するファクシミリ装置と、前記通信回線に接続された外部電話装置の電話番号と発信者名称とを対応付けて記憶する第２記憶手段を有する電話装置と、から構成される通信システムであって、
前記ファクシミリ装置は、
前記発信者番号を前記通信装置から受信する第１番号受信手段と、
前記第１番号受信手段により受信した発信者番号に対応する発信者名称を、前記第１記憶手段に基づいて検出する第１検出手段と、
前記第１検出手段により検出された発信者名称を前記通信装置へ送信する第１名称送信手段と、
を備え、
前記電話装置は、
前記発信者番号を前記通信装置から受信する第２番号受信手段と、
前記第２番号受信手段により受信した発信者番号に対応する発信者名称を、前記第２記憶手段に基づいて検出する第２検出手段と、
前記第２検出手段により検出された発信者名称を前記通信装置へ送信する第２名称送信手段と、
を備えることを特徴とする通信システム。
【発明の詳細な説明】
【技術分野】
【０００１】
本発明は、発信者番号を通知するサービスを有する通信回線に接続され、ファクシミリ装置および電話装置と通信可能な通信装置、および、当該通信装置と当該ファクシミリ装置と当該電話装置とから構成される通信システムに関する。
【背景技術】
【０００２】
従来から、電話帳を有していない通信装置において、発信者番号を通知するサービス、いわゆるナンバー・ディスプレイ（登録商標）サービスにより取得した発信者番号に対応する発信者名称を、当該通信装置と通信可能な他の装置から受信して記憶することが行われている。
【０００３】
特許文献１に記載されている携帯電話機は、電話通信回線を介して取得した電話番号を、他の装置であるパーソナルコンピュータに送信し、パーソナルコンピュータの電話帳から得られた当該電話番号に対応する名称を受信し、当該電話番号と関連付けて記憶する。
【先行技術文献】
【特許文献】
【０００４】
【特許文献１】特開平９−２８４３８０号公報
【発明の概要】
【発明が解決しようとする課題】
【０００５】
ここで、通信装置と通信可能な他の装置として、例えば、電話装置やファクシミリ装置を想定した場合、電話装置は通話相手先となる電話装置の電話番号を、ファクシミリ装置はファクシミリデータの送受信先となるファクシミリ装置のファクシミリ番号を、電話帳に記憶しているのが一般的である。
【０００６】
通信装置が、前記他の装置としてのファクシミリ装置から名称を取得する際、通信回線を介して取得した発信者番号が、電話の着信によるものであった場合、その発信者番号がファクシミリ装置の電話帳に記憶されていない虞がある。なぜなら、ファクシミリ装置では通話ができないため、通話相手の電話装置の電話番号を記憶しておく必要がないためである。当然、その逆の場合も有り得る。すなわち、前記他の装置としての電話装置から名称を取得する際、通信回線を介して取得した発信者番号が、ファクシミリデータの受信によるものであった場合、その発信者番号が電話装置の電話帳に記憶されていない虞がある。なぜなら、電話装置ではファクシミリデータの送信ができないため、通信相手のファクシミリ装置のファクシミリ番号を記憶しておく必要がないためである。かかる場合、通信装置は、確実に名称を取得することができず、さらに発信者番号に対応付けて取得した名称を記憶することができないという問題が生じる。このため、着信履歴として、名称と発信者番号とを対応付けて管理したいユーザにとっては不便であった。
【０００７】
本発明は、上述した問題点を解決するためになされたものであり、ファクシミリ装置および電話装置に通信可能な通信装置において、通信回線を介して受信した発信者番号に対応する発信者名称を取得できない事態の発生を抑制するとともに、当該発信者番号と取得した発信者名称とを対応付けて記憶することが可能な通信装置、および、その通信装置とファクシミリ装置と電話装置とから構成される通信システムを提供することを目的とする。
【課題を解決するための手段】
【０００８】
前記目的を達成するために、請求項１に記載の通信装置は、発信者番号を通知するサービスを有する通信回線に接続され、前記通信回線に接続された外部ファクシミリ装置のファクシミリ番号と発信者名称とを対応付けて記憶する第１記憶手段を有するファクシミリ装置、および、前記通信回線に接続された外部電話装置の電話番号と発信者名称とを対応付けて記憶する第２記憶手段を有する電話装置、と通信可能な通信装置において、前記通信回線を介して送信される信号を受信する信号受信手段と、前記信号受信手段により受信した信号が前記外部ファクシミリ装置からの信号であるか、または、前記外部電話装置からの信号であるかを判断する判断手段と、前記判断手段により前記外部ファクシミリ装置からの信号であると判断された場合、当該信号に含まれる前記発信者番号を前記ファクシミリ装置に送信し、前記外部電話装置からの信号であると判断された場合、当該信号に含まれる前記発信者番号を前記電話装置に送信する番号送信手段と、前記番号送信手段による前記発信者番号の送信先装置から前記発信者番号に対応する発信者名称を受信する名称受信手段と、前記名称受信手段により受信した発信者名称を、前記発信者番号と対応付けて記憶する記憶手段とを備えることを特徴とする。
【０００９】
なお、本発明のファクシミリ装置は、通信回線を介して外部ファクシミリ装置へファクシミリ送信するファクシミリデータを作成し、通信装置へ当該ファクシミリデータを送信可能であり、外部ファクシミリ装置から通信回線を介して通信装置が受信したファクシミリデータを通信装置から受信可能な装置である。
【００１０】
また、請求項２に記載の発明は、請求項１に記載の通信装置において、前記第１記憶手段に記憶されたファクシミリ番号のうち、ファクシミリ通信機能のみに対応するファクシミリ番号を記憶するファクシミリ番号記憶手段を備え、前記判断手段は、前記信号受信手段により受信した信号に含まれる前記発信者番号が、前記ファクシミリ番号記憶手段に記憶されたファクシミリ番号に一致した場合に、当該信号が前記外部ファクシミリ装置からの信号であると判断することを特徴とする。
【００１１】
また、請求項３に記載の発明は、請求項１または２に記載の通信装置において、前記信号受信手段により受信した信号からファクシミリ通信を示すファクシミリ信号を検出する信号検出手段を備え、前記判断手段は、前記信号検出手段により前記ファクシミリ信号が検出された場合に、当該信号が前記外部ファクシミリ装置からの信号であると判断することを特徴とする。
【００１２】
また、請求項４に記載の発明は、請求項３に記載の通信装置において、前記判断手段は、前記信号検出手段により前記ファクシミリ信号が検出されなかった場合に、当該信号が前記外部電話装置からの信号であると判断することを特徴とする。
【００１３】
また、請求項５に記載の発明は、請求項１〜４のいずれかに記載の通信装置において、前記発信者番号と前記発信者名称のうち少なくとも一方を表示可能な表示手段と、前記番号送信手段による前記発信者番号の送信から、前記名称受信手段により前記発信者名称を受信するまでの間、前記発信者番号を前記表示手段に表示する表示制御手段とを備えることを特徴とする。
【００１４】
また、請求項６に記載の発明は、請求項１〜５のいずれかに記載の通信装置において、前記電話装置が無線通信によって送信する音声信号を前記通信回線に伝送し、前記通信回線から入力された音声信号を前記無線通信によって前記電話装置に伝送する伝送手段と、前記電話装置による前記通信回線を介した前記外部電話装置との通話の開始を検出する通話開始検出手段と、前記電話装置による前記通信回線を介した前記外部電話装置との通話の終了を検出する通話終了検出手段と、を備え、前記通話開始検出手段による通話開始検出したときに、前記名称受信手段により前記発信者名称を受信していない場合、前記名称受信手段は、前記通話終了検出手段により通話終了が検出されたことを条件として、前記無線接続による通信を介して前記発信者名称を受信することを特徴とする。
【００１５】
また、請求項７に記載の発明は、請求項１〜６のいずれかに記載の通信装置において、前記記憶手段は、前記名称受信手段が、前記番号送信手段による前記発信者番号の送信から所定の時間内に前記発信者名称を受信できたか否かを判断し、前記発信者名称を受信できなかったと判断した場合に、前記発信者名称を受信できなかった旨を示す文字列を、前記発信者名称として、前記発信者番号に対応付けて記憶することを特徴とする。
【００１６】
さらに、請求項８に記載の通信システムは、請求項１〜７のいずれかに記載の通信装置と、前記通信回線に接続された外部ファクシミリ装置のファクシミリ番号と発信者名称とを対応付けて記憶する第１記憶手段を有するファクシミリ装置と、前記通信回線に接続された外部電話装置の電話番号と発信者名称とを対応付けて記憶する第２記憶手段を有する電話装置と、から構成される通信システムであって、前記ファクシミリ装置は、前記発信者番号を前記通信装置から受信する第１番号受信手段と、前記第１番号受信手段により受信した発信者番号に対応する発信者名称を、前記第１記憶手段に基づいて検出する第１検出手段と、前記第１検出手段により検出された発信者名称を前記通信装置へ送信する第１名称送信手段と、を備え、前記電話装置は、前記発信者番号を前記通信装置から受信する第２番号受信手段と、前記第２番号受信手段により受信した発信者番号に対応する発信者名称を、前記第２記憶手段に基づいて検出する第２検出手段と、前記第２検出手段により検出された発信者名称を前記通信装置へ送信する第２名称送信手段と、を備えることを特徴とする。
【発明の効果】
【００１７】
請求項１および請求項８に記載の発明によれば、通信回線を介して受信した信号が、外部ファクシミリ装置からの信号であれば、その信号に含まれる発信者番号をファクシミリ装置に送信し、外部電話装置からの信号であれば、その信号に含まれる発信者番号を電話装置に送信する。そして、発信者番号の送信先の装置から、発信者番号に対応する発信者名称を受信して、対応する発信者番号と対応付けて記憶することができる。これにより、通信装置において、通信回線を介して受信した発信者番号に対応する発信者名称を取得できない事態の発生を抑制することができるとともに、当該通信装置においても、発信者番号と発信者名称とを、対応付けて記憶することができる。また、ユーザは、着信履歴として、発信者名称と発信者番号とを対応付けて管理することができる。
【００１８】
また、請求項２に記載の発明は、通信回線を介して受信した信号に含まれる発信者番号が、ファクシミリ番号記憶手段に記憶されたファクシミリ番号に一致する場合、発信者番号の送信先をファクシミリ装置に決定することができる。これにより、ファクシミリ通信機能に対応する発信者番号を受信した場合は、ファクシミリ通信機能に対応する発信者番号を記憶している可能性の高い、ファクシミリ装置に具備された第１記憶手段に基づき発信者名称を取得できるので、通信回線を介して受信した発信者番号に対応する発信者名称を取得できない事態の発生を抑制することができる。
【００１９】
また、請求項３に記載の発明は、受信した信号からファクシミリ信号が検出された場合に、発信者番号の送信先をファクシミリ装置に決定することができる。これにより、例えば、ファクシミリ通信機能に対応するファクシミリ番号と電話機能に対応する電話番号とが同一であり、ファクシミリ通信機能における発信者名称と電話機能における発信者名称とが第１記憶手段と第２記憶手段にそれぞれ異なる名称で記憶されている、外部ファクシミリ装置からのファクシミリ受信の場合であっても、ファクシミリ受信における発信者番号に対応する発信者名称を記憶している可能性の高い、ファクシミリ装置に具備された第１記憶手段から発信者名称が検出可能となる。よって、通信回線を介した外部ファクシミリ装置からの信号に含まれる発信者番号の、ファクシミリ通信機能に対応する発信者名称を取得できない事態の発生を抑制することができる。
【００２０】
また、請求項４に記載の発明は、受信した信号からファクシミリ信号が検出されなかった場合に、発信者番号の送信先を電話装置に決定することができる。これにより、例えば、ファクシミリ通信機能に対応するファクシミリ番号と電話機能に対応する電話番号とが同一であり、ファクシミリ通信機能における発信者名称と電話機能における発信者名称とが第１記憶手段と第２記憶手段にそれぞれ異なる名称で記憶されている、外部電話装置からの着信の場合であっても、電話の着信における発信者番号に対応する発信者名称を記憶している可能性の高い、電話装置に具備された第２記憶手段から発信者名称が検出可能となる。よって、通信回線を介した外部電話装置からの信号に含まれる発信者番号の、電話機能に対応する発信者名称を取得できない事態の発生を抑制することができる。
【００２１】
また、請求項５に記載の発明は、送信先の装置における発信者番号に対応する発信者名称の検出処理の遅延等により、送信先の装置から送信される発信者名称を受信するまでに長時間を要する場合であっても、発信者名称を受信する前に、発信者番号を表示することができる。これにより、通信装置のユーザは、発信者番号の送信先の装置からの発信者名称の受信を待たずとも発信者を特定することが可能となる。
【００２２】
また、請求項６に記載の発明は、通話終了が検出されたことを条件として、無線通信を介して発信者名称を受信することにより、発信者名称を受信する前に通話が開始された場合であっても、通信回線を介して受信した発信者番号に対応する発信者名称を取得できない事態の発生を抑制することができる。
【００２３】
さらに、請求項７に記載の発明は、発信者番号の送信から所定の時間内に発信者名称を受信できなかった場合に、発信者名称を受信できなかった旨を示す文字列を、発信者名称として、発信者番号に対応付けて記憶することにより、通信装置のユーザは、発信者名称を受信できなかった旨を認識することが可能となる。
【図面の簡単な説明】
【００２４】
【図１】本実施形態の通信システムを示すブロック図である。
【図２】通信ＢＯＸにおける発信者名称取得処理を示すフローチャートである。
【図３】通信ＢＯＸにおける発信者名称取得処理を示すフローチャートである。
【図４】ファクシミリ装置における発信者名称取得処理を示すフローチャートである。
【図５】コードレス電話機における発信者名称取得処理を示すフローチャートである。
【発明を実施するための形態】
【００２５】
以下、本発明の実施の形態について、図面を参照しつつ詳細に説明する。本実施の形態では、通信装置として、ファクシミリ装置３０およびコードレス電話機５０（本発明の電話装置に相当）と通信可能な通信ＢＯＸ１０を例に挙げて説明する。
【００２６】
＜システムの構成＞
本実施形態の通信システム１について、図１を参照して説明する。通信システム１は、公衆電話回線網（ＰＳＴＮ）４（本発明の通信回線に相当）により外部ファクシミリ装置３および外部電話装置５と通信可能な通信ＢＯＸ１０と、通信ＢＯＸ１０と無線ＬＡＮ（Wireless Local Area Network；ＷＬＡＮ）により無線通信可能に接続されたファクシミリ装置（ＦＡＸ）３０と、通信ＢＯＸ１０と無線通信可能に接続されたコードレス電話機５０とを備える。なお、通信ＢＯＸ１０とファクシミリ装置３０との接続方法は、無線ＬＡＮに限定されるものではなく、有線ＬＡＮ、ＵＳＢ接続、またはパラレル接続であってもよい。
【００２７】
以下、各装置の構成を説明する。まず、通信ＢＯＸ１０について説明する。通信ＢＯＸ１０は、ＰＳＴＮ４に接続されたＮＣＵ（Network Control Unit）１１（本発明の信号受信手段に相当）と、ＮＣＵ１１を通じて外部ファクシミリ装置３とファクシミリ通信可能なＦＡＸモデム１２と、無線ＬＡＮを構成する各ノードと無線通信可能な通信インターフェースであるＷＬＡＮ通信部１４と、コードレス電話機５０と無線通信可能な通信インターフェースであるＤＣＬ通信部１５と、記憶部１６と、操作部１７と、液晶ディスプレイ等で構成されている表示部１９（本発明の表示手段に相当）と、制御部２０とを備える。また、本実施形態において、通信ＢＯＸ１０は、ナンバー・ディスプレイサービス等の各種サービス機能の設定を可能とする。
【００２８】
記憶部１６は、例えば、ハードディスクまたは不揮発性のメモリ（ＥＥＰＲＯＭ）で構成されている。記憶部１６は、ＦＡＸ番号テーブル２７（本発明のファクシミリ番号記憶手段に相当）と、着信履歴２９とを備える。ＦＡＸ番号テーブル２７は、ファクシミリ通信機能のみに対応する、所定の外部ファクシミリ装置のファクシミリ番号（ＦＡＸ番号）を記憶したテーブルであり、本実施形態では、ＦＡＸ番号テーブル２７に記憶されているＦＡＸ番号からの着信の場合、コードレス電話機５０での鳴動を行わずにファクシミリデータの受信を開始する。着信履歴２９は、過去の着信情報として、着信日時、着信した発信者番号、および、発信者名称が対応付けて記憶される。また、着信履歴２９は、外部ファクシミリ装置３からのファクシミリデータの受信だけでなく、外部電話装置５からの通話着信も履歴として記憶される。なお、着信履歴２９に記憶される項目は、これに限定されるものではなく、着信日時、発信者番号、発信者名称を含むものであれば、種々の形態を採用することができる。
【００２９】
操作部１７は、操作キー群を備えており、各種サービス機能のオン・オフ設定等、ユーザ操作可能な入力インターフェースとしての機能を実行する。
【００３０】
制御部２０は、ＣＰＵ２１と、ＣＰＵ２１が実行する各種プログラムを記憶するＲＯＭ２３と、プログラム実行時に作業領域として使用されるＲＡＭ２５とを備える。ＲＡＭ２５は、ＰＳＴＮ４を介して受信したファクシミリデータ、ＰＳＴＮ４を介して受信した発信者番号、着信日時、および、ファクシミリ装置３０またはコードレス電話機５０から受信した発信者名称等が一時的に記憶される。
【００３１】
通信ＢＯＸ１０は、制御部２０の制御により、ＤＣＬ通信部１５を介して入力された音声信号および制御信号を、ＮＣＵ１１を介してＰＳＴＮ４に伝送すると共に、ＰＳＴＮ４を介して入力された音声信号および制御信号を、ＤＣＬ通信部１５を介して無線通信に伝送することが可能である（本発明の伝送手段に相当）。
【００３２】
次に、ファクシミリ装置３０について説明する。ファクシミリ装置３０は、記憶部３２と、通信ＢＯＸ１０が備えるＷＬＡＮ通信部１４と同等の通信インターフェースであって通信ＢＯＸ１０と無線ＬＡＮにより通信可能なＷＬＡＮ通信部３４と、ファクシミリ送信する原稿等を読み取る読取部３５と、受信したファクシミリデータ等を印刷する印刷部３６と、操作部３７と、液晶ディスプレイ等で構成される表示部３９と、制御部４０とを備える。
【００３３】
記憶部３２は、例えば、ハードディスクまたは不揮発性のメモリ（ＥＥＰＲＯＭ）で構成されている。記憶部３２は、所定の外部ファクシミリ装置のＦＡＸ番号が発信者名称に対応付けられた第１電話帳３３（本発明の第１記憶手段に相当）を記憶している。なお、第１電話帳３３には、ファクシミリ通信機能に対応するＦＡＸ番号が記憶されており、例えば、ファクシミリ通信機能を具備する電話装置であって、ファクシミリ通信機能に対応するＦＡＸ番号と電話機能に対応する電話番号とが同一である場合、その番号も第１電話帳３３に記憶されている。この場合、第１電話帳３３に記憶されている発信者名称と、後述するコードレス電話機５０に備えられた第２電話帳５３に記憶されている発信者名称とは、異なる名称であってもよい。また、第１電話帳３３に記憶される項目は、これに限定されるものではなく、発信者番号と発信者名称を含むものであれば、種々の形態を採用することができる。
【００３４】
操作部３６は、例えば、方向キー、文字入力が可能なテンキーボードおよび確定ボタン等により構成され、各種指令の入力インターフェースとしての機能を実現する。
【００３５】
制御部４０は、ＣＰＵ４１と、ＣＰＵ４１が実行する各種プログラムを記憶するＲＯＭ４３と、ＣＰＵ４１によるプログラム実行時に作業領域として使用されるＲＡＭ４５とを備える。
【００３６】
次に、コードレス電話機５０について説明する。コードレス電話機５０は、音声入出力部５１と、記憶部５２と、通信ＢＯＸ１０が備えるＤＣＬ通信部１５と無線通信可能な通信インターフェースであるＤＣＬ通信部５５と、通話開始ボタンや通話終了ボタン等の操作キー群を備えてユーザ操作可能な入力インターフェースとして機能する操作部５７と、液晶ディスプレイ等で構成される表示部５９と、制御部６０とを備える。
【００３７】
音声入出力部５１は、ユーザの発話音声を集音するためのマイクロフォンを備えるとともに、外部電話装置５から通信ＢＯＸ１０を介して送信されてくる外部電話装置５を使用するユーザの発話音声および呼出音等を出力するためのスピーカを備える。
【００３８】
記憶部５２は、例えば、ハードディスクまたは不揮発性のメモリ（ＥＥＰＲＯＭ）で構成されている。記憶部５２は、所定の外部電話装置の電話番号が発信者名称に対応付けられた第２電話帳５３（本発明の第２記憶手段に相当）を記憶している。なお、第２電話帳５３には、電話機能に対応する電話番号が記憶されており、例えば、ファクシミリ通信機能を具備する電話装置であって、ファクシミリ通信機能に対応するＦＡＸ番号と電話機能に対応する電話番号とが同一である場合、その番号も第２電話帳５３に記憶されている。この場合、第１電話帳３３に記憶されている発信者名称と、第２電話帳５３に記憶されている発信者名称とは、異なる名称であってもよい。また、第２電話帳５３に記憶される項目は、これに限定されるものではなく、発信者番号と発信者名称を含むものであれば、種々の形態を採用することができる。
【００３９】
制御部６０は、マイクロコンピュータ（図示せず）を備え、当該マイクロコンピュータにて各種プログラムを実行することにより、コードレス電話機５０全体を統括制御する構成にされている。
【００４０】
なお、本実施形態の通信システム１において、ＷＬＡＮ通信部１４、３４は、周知の無線ＬＡＮ規格（ＩＥＥＥ８０２．１１ｘ）により直接拡散方式にて無線通信を行うものである。一方、ＤＣＬ通信部１５、５５は、独自仕様（独自プロトコル）で無線通信を行う構成にされている。具体的に、ＤＣＬ通信部１５、５５は、本実施形態において、周波数ホッピング方式により通信を行う構成にされている。
【００４１】
＜発信者名称取得処理＞
次に、本実施形態の発信者名称取得処理について、図２〜図５を参照して詳細に説明する。本実施形態において、通信ＢＯＸ１０は、ナンバー・ディスプレイサービスの設定がオンにされているとし、本実施形態の発信者名称取得処理は、ナンバー・ディスプレイサービスにより発信者番号をＰＳＴＮ４から受信する場合に実行される処理である。
【００４２】
まず、通信ＢＯＸ１０における処理について、図２および図３の通信ＢＯＸ１０における発信者名称取得処理を示すフローチャートに従って、詳細に説明する。この通信ＢＯＸ１０における発信者名称取得処理は、ＣＰＵ２１がＰＳＴＮ４を介してＣＡＲ信号（情報受信端末起動信号）を検出することにより開始される。ここで、ＣＡＲ信号とは、ナンバー・ディスプレイサービスで発信者番号が通知される前に送られてくる信号である。
【００４３】
ＣＰＵ２１は、図２のＳ２００において、ＰＳＴＮ４を介して、発信者番号を受信する。そして、ＣＰＵ２１は、受信した発信者番号を着信日時と対応付けてＲＡＭ２５に記憶し（Ｓ２０２）、表示部１９に発信者番号を表示する（Ｓ２０４）。
【００４４】
次に、ＣＰＵ２１は、Ｓ２０６において、ＦＡＸ番号テーブル２７に記憶された複数のＦＡＸ番号のうち、Ｓ２００で受信した発信者番号と一致するものがあるか否かを判断する。判断の結果、ＦＡＸ番号テーブル２７に記憶されたＦＡＸ番号と一致する場合（Ｓ２０６：ＹＥＳ）、ＣＰＵ２１は、ファクシミリデータの受信を開始する（Ｓ２０８）。具体的に、ＣＰＵ２１は、ＦＡＸ自動受信を通知するＣＥＤ信号（被呼局識別信号）を、ＰＳＴＮ４を介して外部ファクシミリ装置３へ送信し、その後、自装置の能力を通知するＤＩＳ信号（デジタル識別信号）を送信する。そして、ＣＰＵ２１は、外部ファクシミリ装置３から通信モードを指示するＤＣＳ信号（デジタル命令信号）を受信した後、受信準備完了を通知するＣＦＲ信号（受信準備確認信号）を送信することにより、外部ファクシミリ装置３からＰＳＴＮ４を介してファクシミリデータの受信が開始される。
【００４５】
ＣＰＵ２１は、Ｓ２１０において、発信者番号と、当該発信者番号に対応する発信者名称を第１電話帳３３から検出させる名称検出指示とをファクシミリ装置３０へ送信する。そして、ＣＰＵ２１は、Ｓ２１２において、ファクシミリ装置３０から発信者名称を受信したか否かを判断し、発信者名称を受信したと判断された場合（Ｓ２１２：ＹＥＳ）、受信した発信者名称をＲＡＭ２５に記憶し（Ｓ２１４）、表示部１９に発信者名称を表示する（Ｓ２１６）。一方、発信者名称が受信していないと判断された場合（Ｓ２１２：ＮＯ）、ＣＰＵ２１は、発信者名称を受信したと判断されるまでＳ２１２の処理を繰り返す。
【００４６】
次に、ＣＰＵ２１は、Ｓ２１８において、ファクシミリデータの受信を完了したか否かを判断し、受信未完了であると判断された場合（Ｓ２１８：ＮＯ）、受信を完了するまでＳ２１８の処理を繰り返す。一方、ファクシミリデータの受信完了と判断された場合（Ｓ２１８：ＹＥＳ）、ＷＬＡＮ通信部１４、３４による無線ＬＡＮを介して、ファクシミリデータをファクシミリ装置３０へ転送する（Ｓ２２０）。なお、Ｓ２１８において、ファクシミリデータの受信完了と判断される場合とは、Ｓ２１２でファクシミリ装置３０から発信者名称を受信したと判断される前にファクシミリデータの受信が完了している場合、または、Ｓ２１２でファクシミリ装置３０から発信者名称を受信した後にファクシミリデータの受信が完了する場合である。
【００４７】
ＣＰＵ２１は、Ｓ２０２でＲＡＭ２５に記憶された着信日時と発信者番号と、Ｓ２１４でＲＡＭ２５に記憶された発信者名称とを対応付けて、着信履歴２９に記憶し（Ｓ２２４）、着信履歴２９に記憶した着信日時と発信者番号と発信者名称をＲＡＭ２５から削除して、本処理を終了する。
【００４８】
図２のＳ２０６の判断の結果、ＦＡＸ番号テーブル２７に記憶された複数のＦＡＸ番号のうち、Ｓ２００で受信した発信者番号と一致するものがない場合（Ｓ２０６：ＮＯ）、ＣＰＵ２１は、図３のＳ２３２において、Ｓ２００で受信した発信者番号と、当該発信者番号に対応する発信者名称を第２電話帳５３から検出させる名称検出指示と、鳴動のトリガ（ＲＩＮＧ）をコードレス電話機５０に送信する。なお、以降の処理において、ＲＩＮＧは、定期的にコードレス電話機５０に送信されるものとする。
【００４９】
次に、ＣＰＵ２１は、Ｓ２３４において、コードレス電話機５０から発信者名称を受信したか否かを判断し、発信者名称を受信していないと判断された場合（Ｓ２３４：ＮＯ）、ＰＳＴＮ４を介して受信する信号から、ファクシミリデータの受信による着信であること通知するＣＮＧ信号（コーリングトーン信号）（本発明のファクシミリ信号に相当）を検出したか否かを判断する（Ｓ２３６）。
【００５０】
ＣＮＧ信号が検出された場合（Ｓ２３６：ＹＥＳ）、ＣＰＵ２１は、ファクシミリデータの受信による外部ファクシミリ装置３からの着信であると判断して、Ｓ２３２で送信した名称検出指示の取り消しを指示する名称非検出指示を、コードレス電話機５０に送信し（Ｓ２３８）、Ｓ２３２以降、定期的に送信されていたコードレス電話機５０へのＲＩＮＧの送信を終了して（Ｓ２４０）、図２のＳ２０８の処理へ移行する。一方、ＣＮＧ信号が検出されない場合は（Ｓ２３６：ＮＯ）、ＣＰＵ２１は、図３のＳ２４６の処理へ移行する。
【００５１】
Ｓ２３４の判断の結果、コードレス電話機５０から発信者名称が受信したと判断された場合（Ｓ２３４：ＹＥＳ）、ＣＰＵ２１は、発信者名称をＲＡＭ２５に記憶し（Ｓ２４２）、表示部１９に発信者名称を表示する（Ｓ２４４）。
【００５２】
次に、ＣＰＵ２１は、Ｓ２４６において、通話が開始されたか否かを判断する。ここで、通話の開始とは、例えば、コードレス電話機５０のオフフック状態や、コードレス電話機５０の操作部５７にある通話開始ボタンの押下に基づいて、コードレス電話機５０から送信される回線接続コマンドを検出することにより判断される。なお、回線接続コマンドが検出された場合、ＣＰＵ２１がこのコマンドに基づいて回線を接続することにより、コードレス子機５０での通話が開始される。
【００５３】
Ｓ２４６の判断の結果、通話が開始されていない場合（Ｓ２４６：ＮＯ）、ＣＰＵ２１は、ＰＳＴＮ４が切断されたか否かを判断し（Ｓ２４７）、ＰＳＴＮ４が切断されたことが判断された場合（Ｓ２４７：ＹＥＳ）、本処理を終了する。一方、ＰＳＴＮ４が切断されていないことが判断された場合（Ｓ２４７：ＮＯ）、ＣＰＵ２１は、コードレス電話機５０にＲＩＮＧを送信し（Ｓ２４８）、通話開始が検出されるまでＳ２４６〜Ｓ２４８の処理を繰り返す。
【００５４】
一方、通話開始が検出された場合（Ｓ２４６：ＹＥＳ）、ＣＰＵ２１は、Ｓ２５０において、通話が終了したか否かを判断する。ここで、通話の終了とは、例えば、コードレス電話機５０のオンフック状態や、コードレス電話機５０の操作部５７にある通話終了ボタンの押下に基づいて、コードレス電話機５０から送信される回線断コマンドを検出することにより判断される。なお、回線断コマンドが検出された場合、ＣＰＵ２１がこのコマンドに基づいて回線を切断することにより、コードレス電話機５０での通話が終了される。
【００５５】
判断の結果、通話終了が検出されない場合（Ｓ２５０：ＮＯ）、ＣＰＵ２１は、通話終了が検出されるまでＳ２５０の処理を繰り返す。一方、通話終了が検出された場合（Ｓ２５０：ＹＥＳ）、ＣＰＵ２１は、ＲＡＭ２５に発信者名称が記憶されているか否かを判断し（Ｓ２５２）、ＲＡＭ２５に発信者名称が記憶されている場合（Ｓ２５２：ＹＥＳ）、図２のＳ２２４の処理へ移行する。
【００５６】
判断の結果、ＲＡＭ２５に発信者名称が記憶されていない場合（Ｓ２５２：ＮＯ）、ＣＰＵ２１は、コードレス電話機５０に名称検出指示を再度送信する（Ｓ２５４）。なお、本実施形態では、Ｓ２５４において、コードレス電話機５０への名称検出指示の再送信を条件として、送信後の経過時間の計測が開始される。
【００５７】
ＣＰＵ２１は、コードレス電話機５０から発信者名称を受信したか否かを判断し（Ｓ２５６）、発信者名称を受信したと判断された場合（Ｓ２５６：ＹＥＳ）、図２のＳ２２４の処理へ移行する。一方、発信者名称が受信していないと判断された場合（Ｓ２５６：ＮＯ）、ＣＰＵ２１は、Ｓ２５４でコードレス電話機５０に名称検出指示を再度送信してから、一定の時間が経過したか否かを判断する（Ｓ２５８）。
【００５８】
判断の結果、一定時間経過していない場合（Ｓ２５８：ＮＯ）、一定時間経過するまでＳ２５８の処理を繰り返す。一方、一定時間経過したと判断された場合（Ｓ２５８：ＹＥＳ）、ＣＰＵ２１は、ＲＡＭ２５に発信者名称として、所定の文字列を記憶し（Ｓ２６０）、図２のＳ２２４の処理へ移行する。ここで、所定の文字列とは、例えば、「受信不可」等、発信者名称をコードレス電話機５０から受信できなかった旨を示す文字列である。
【００５９】
次に、ファクシミリ装置３０における処理について、図４のファクシミリ装置３０における発信者名称取得処理を示すフローチャートに従って、詳細に説明する。ファクシミリ装置３０における発信者名称取得処理は、通信ＢＯＸ１０から、発信者番号と、当該発信者番号に対応する発信者名称を第１電話帳３３から検出させる名称検出指示とを受信する（本発明の第１番号受信手段に相当）ことを条件として開始される。すなわち、本処理は、通信ＢＯＸ１０において、図２のＳ２１０の処理が実行されることにより開始される。
【００６０】
ＣＰＵ４１は、受信した発信者番号に対応する発信者名称を、第１電話帳３３から検出する（Ｓ４００）。そして、ＣＰＵ４１は、Ｓ４０２において、発信者番号に対応する発信者名称を検出できたか否かを判断する。
【００６１】
発信者名称が検出されていない場合（Ｓ４０２：ＮＯ）、ＣＰＵ４１は、発信者名称として、所定の文字列を通信ＢＯＸ１０へ送信し（Ｓ４０４）、Ｓ４０８の処理へ移行する。ここで、所定の文字列とは、例えば、「未登録」等、通信ＢＯＸ１０から受信した発信者番号が第１電話帳３３に登録されていないために、当該発信者番号に対応する発信者名称を検出することができなかった旨を示す文字列である。なお、本実施形態において、発信者名称が検出されない場合とは、例えば、通信ＢＯＸ１０から受信した発信者番号が第１電話帳３３に登録されていないために、対応する発信者名称を検出できない場合である。また、Ｓ４００において、発信者名称の検出の開始を条件として、検出開始後の経過時間の計測が開始され、検出開始から一定時間が経過しても、Ｓ４０２において検出できたと判断されない場合、Ｓ４０４へ移行する構成としてもよい。
【００６２】
Ｓ４０２の判断の結果、発信者名称が検出された場合（Ｓ４０２：ＹＥＳ）、ＣＰＵ４１は、発信者名称を通信ＢＯＸ１０へ送信する（Ｓ４０６）。そして、ＣＰＵ４１は、Ｓ４０８において、通信ＢＯＸ１０からファクシミリデータを受信したか否かを判断し、ファクシミリデータを受信していないと判断された場合（Ｓ４０８：ＮＯ）、通信ＢＯＸ１０からファクシミリデータを受信するまでＳ４０８の処理を繰り返す。一方、通信ＢＯＸ１０からファクシミリデータを受信したと判断された場合（Ｓ４０８：ＹＥＳ）、受信したファクシミリデータをＲＡＭ４５に記憶して（Ｓ４１０）、本処理を終了する。
【００６３】
次に、コードレス電話機５０における処理について、図５のコードレス電話機５０における発信者名称取得処理を示すフローチャートに従って、詳細に説明する。コードレス電話機５０における発信者名称取得処理は、通信ＢＯＸ１０から発信者番号と、当該発信者番号に対応する発信者名称を第２電話帳５３から検出させる名称検出指示と、ＲＩＮＧとを受信する（本発明の第２番号受信手段に相当）ことにより開始される。すなわち、本処理は、通信ＢＯＸ１０において、図２のＳ２３２の処理が実行されることにより開始される。
【００６４】
制御部６０は、Ｓ５００において、受信した発信者番号に対応する発信者名称を、第２電話帳５３から検出する。そして、制御部６０は、Ｓ５０２において、発信者番号対応する発信者名称を検出できたか否かを判断し、発信者名称が検出された場合（Ｓ５０２：ＹＥＳ）、通信ＢＯＸ１０へ発信者名称を送信し（Ｓ５０４）、本処理を終了する。
【００６５】
一方、判断の結果、発信者名称が検出されていない場合（Ｓ５０２：ＮＯ）、制御部６０は、通信ＢＯＸ１０から、名称検出指示の取り消しを指示する名称非検出指示を受信したか否かを判断し（Ｓ５０６）、名称非検出指示が受信したと判断された場合（Ｓ５０６：ＹＥＳ）、本処理を終了する。
【００６６】
Ｓ５０６の判断の結果、名称非検出指示が受信していないと判断された場合（Ｓ５０６：ＮＯ）、制御部６０は、通話が開始されたか否かを判断する（Ｓ５０８）。ここで、通話の開始とは、例えば、コードレス電話機５０のオフフック状態や、操作部５７の通話開始ボタンの押下を検出することにより判断される。なお、通話の開始が判断された場合、制御部６０は、通信ＢＯＸ１０に回線接続コマンドを送信する。そして、このコマンドに基づいて、通信ＢＯＸ１０で回線が接続されることにより、コードレス電話機５０での通話が開始される。
【００６７】
判断の結果、通話開始が検出されなかった場合（Ｓ５０８：ＮＯ）、制御部６０は、Ｓ５０２の処理に戻る。一方、通話開始が検出された場合（Ｓ５０８：ＹＥＳ）、制御部６０は、Ｓ５１０において、通話が終了したか否かを判断する。ここで、通話の終了とは、例えば、コードレス子機５０のオンフック状態や、操作部５７の通話終了ボタンの押下を検出することにより判断される。なお、通話の終了が判断された場合、制御部６０は、通信ＢＯＸ１０に回線断コマンドを送信する。そして、このコマンドに基づいて、通信ＢＯＸ１０で回線が切断されることにより、コードレス子機５０での通話が終了される。
【００６８】
判断の結果、通話終了が検出されなかった場合（Ｓ５１０：ＮＯ）、制御部６０は、通話終了が検出されるまでＳ５１０の処理を繰り返す。一方、通話終了が検出された場合（Ｓ５１０：ＹＥＳ）、通信ＢＯＸ１０から名称検出指示を再度受信し（Ｓ５１２）、図２のＳ２３２において通信ＢＯＸ１０から送信された発信者番号に対応する発信者名称を、第２電話帳５３から検出する（Ｓ５１４）。なお、本実施形態では、Ｓ５１４において、発信者名称の検出の開始を条件として、検出開始後の経過時間の計測が開始される。
【００６９】
制御部６０は、Ｓ５１６において、発信者名称の検出が完了したか否か、すなわち、対応する発信者名称を検出できたか否かを判断し、発信者名称が検出された場合（Ｓ５１６：ＹＥＳ）、Ｓ５０４の処理へ移行する。一方、判断の結果、発信者名称が検出されていない場合（Ｓ５１６：ＮＯ）、制御部６０は、発信者名称の検出開始から一定時間が経過したか否かを判断し（Ｓ５１８）、一定時間経過していない場合（Ｓ５１８：ＮＯ）、Ｓ５１６の処理へ戻る。一方、一定時間経過した場合（Ｓ５１８：ＹＥＳ）、制御部６０は、発信者名称として、所定の文字列を通信ＢＯＸ１０へ送信し（Ｓ５２０）、本処理を終了する。ここで、所定の文字列とは、例えば、「未登録」等、通信ＢＯＸ１０から受信した発信者番号が第２電話帳５３に登録されていないために、当該発信者番号に対応する発信者名称を検出することができなかった旨を示す文字列である。
【００７０】
以上説明したように、ＰＳＴＮ４を介して受信した信号が外部ファクシミリ装置３からの信号であるか、または、外部電話装置５からの信号であるかを判断し（図２のＳ２０６および図３のＳ２３６）、外部ファクシミリ装置３からの信号であれば、その信号に含まれる発信者番号をファクシミリ装置３０に送信し、外部電話装置５からの信号であれば、その信号に含まれる発信者番号をコードレス電話機５０に送信する（図２のＳ２１０、図３のＳ２３２、Ｓ２３８）。そして、発信者番号の送信先の装置により検出された、発信者番号に対応する発信者名称を受信して、発信者番号と対応付けて記憶することにより（図２のＳ２２４）、通信ＢＯＸ１０において、ＰＳＴＮ４を介して受信した発信者番号に対応する発信者名称を取得できない事態の発生を抑制することができるとともに、当該発信者番号と第１電話帳３３または第２電話帳５３に記憶された発信者名称とを、対応付けて記憶することができる。よって、ユーザは、着信履歴２９として、発信者番号と発信者名称とを対応付けて管理することができる。
【００７１】
また、ＰＳＴＮ４を介して受信した信号に含まれる発信者番号が、ＦＡＸ番号テーブル２７に記憶されたＦＡＸ番号に一致する場合（図２のＳ２０６：ＹＥＳ）、ＣＰＵ２１は、受信した信号が外部ファクシミリ装置３からの信号であると判断して、ファクシミリ装置３０へ発信者番号を送信する（図２のＳ２１０）。これにより、ファクシミリ通信機能用の発信者番号を受信した場合は、ファクシミリ通信機能用のＦＡＸ番号を記憶している可能性の高い、ファクシミリ装置３０に具備された第１電話帳３３に基づき発信者名称を取得できるので、ＰＳＴＮ４を介して受信した発信者番号に対応する発信者名称を取得できない事態の発生を抑制することができる。
【００７２】
また、ＰＳＴＮ４を介して受信した信号からＣＮＧ信号が検出された場合に（図３のＳ２３６：ＹＥＳ）、ＣＰＵ２１は、ファクシミリ装置３０へ発信者番号を送信する（図２のＳ２１０）。これにより、例えば、ファクシミリ通信機能に対応するＦＡＸ番号と電話機能に対応する電話番号とが同一であり、ファクシミリ通信機能における発信者名称と電話機能における発信者名称とが第１電話帳３３と第２電話帳５３にそれぞれ異なる名称で記憶されている、外部ファクシミリ装置３からのファクシミリ受信の場合であっても、ファクシミリ受信における発信者番号に対応する発信者名称を記憶している可能性の高い、ファクシミリ装置３０に具備された第１電話帳３３から発信者名称が検出可能となる。よって、ＰＳＴＮ４を介した外部ファクシミリ装置３からの信号に含まれる発信者番号の、ファクシミリ通信機能に対応する発信者名称を取得できない事態の発生を抑制することができる。
【００７３】
また、ＰＳＴＮ４を介して受信した信号からＣＮＧ信号が検出されなかった場合に（図３のＳ２３６：ＮＯ）、ＣＰＵ２１は、受信した信号が外部電話装置５からの信号であると判断して、発信者番号送信先をコードレス電話機５０に決定することができる。これにより、例えば、ファクシミリ通信機能に対応するＦＡＸ番号と電話機能に対応する電話番号とが同一であり、ファクシミリ通信機能における発信者名称と電話機能における発信者名称とが第１電話帳３３と第２電話帳５３にそれぞれ異なる名称で記憶されている、外部電話装置５からの着信の場合であっても、電話の着信における発信者番号に対応する発信者名称を記憶している可能性の高い、コードレス電話機５０に具備された第２電話帳５３から発信者名称が検出可能となる。よって、ＰＳＴＮ４を介した外部電話装置５に含まれる発信者番号の、電話機能に対応する発信者名称を取得できない事態の発生を抑制することができる。
【００７４】
また、送信先の装置での発信者名称の検出処理の遅延等により、送信先の装置から送信される発信者名称を受信するまでに長時間を要する場合であっても、発信者名称を受信する前に、発信者番号を表示することができる（図２のＳ２０４）。これにより、通信ＢＯＸ１０のユーザは、発信者番号の送信先の装置からの発信者名称の受信を待たずとも発信者を特定することが可能となる。
【００７５】
また、通話終了が検出されたことを条件として、コードレス電話機５０から無線通信を介して発信者名称を受信することにより（図３のＳ２５０〜Ｓ２５６）、発信者名称を受信する前に通話が開始された場合であっても、ＰＳＴＮ４を介して受信した発信者番号に対応する発信者名称を取得できない事態の発生を抑制することができる。
【００７６】
さらに、発信者番号の送信から所定の時間内に発信者名称を受信できなかった場合に（図３のＳ２５８：ＮＯ）、発信者名称を受信できなかった旨を示す文字列を、発信者名称として、発信者番号に対応付けて記憶することにより（図３のＳ２６０、図２のＳ２２４）、通信ＢＯＸ１０のユーザは、発信者名称を受信できなかった旨を認識することが可能となる。
【００７７】
以上、本発明の一実施形態について説明したが、本発明は上記実施形態に限定されるものではなく、本発明の要旨を逸脱しない範囲内で種々の態様を採ることができる。
【００７８】
本実施形態では、ファクシミリ装置３０を例に挙げて説明したが、これに限定されるものではなく、ＰＳＴＮ４を介して外部ファクシミリ装置３へファクシミリ送信するファクシミリデータを作成し、通信ＢＯＸ１０へ当該ファクシミリデータを送信可能であり、外部ファクシミリ装置３からＰＳＴＮ４を介して通信ＢＯＸ１０が受信したファクシミリデータを、通信ＢＯＸ１０から受信可能な装置であれば、種々の形態を採用することができる。
【００７９】
また、本実施形態において、通信ＢＯＸ１０は、ファクシミリ通信機能のみに対応する、所定の外部ファクシミリ装置のＦＡＸ番号を記憶したＦＡＸ番号テーブル２７を備えているが、ＦＡＸ番号テーブル２７の代わりに、電話機能のみに対応する、所定の外部電話装置の電話番号を記憶したテーブルを備えていてもよい。この構成において、ＰＳＴＮ４を介して受信した発信者番号がテーブルに記憶された電話番号と一致する場合は、名称検出指示はコードレス電話機５０へ送信される。
【００８０】
また、本実施形態において、通信ＢＯＸ１０の表示部１９に発信者名称のみを表示しているが（図２のＳ２１６、図３のＳ２４４）、表示部１９に発信者名称とともに対応する発信者番号を表示させてもよい。
【００８１】
また、本実施形態において、通信ＢＯＸ１０は、外部ファクシミリ装置３からＰＳＴＮ４を介したファクシミリデータの受信開始時（図２のＳ２０８）から、受信したファクシミリデータをファクシミリ装置３０へ転送する（図２のＳ２２０）前までの間に、ファクシミリ装置３０から発信者名称を受信する構成となっているが、ファクシミリ装置３０へファクシミリデータを転送している間（図２のＳ２２０）に、ファクシミリ装置３０から発信者名称を受信してもよい。ただし、本実施形態のように、ファクシミリデータの受信開始時からファクシミリ装置３０への転送前までに、ファクシミリ装置３０から発信者名称を受信する構成の方が、より早く表示部１９に発信者名称を表示させることが可能であるため、通信ＢＯＸ１０のユーザにより早く発信者名称を認識させることができる。
【００８２】
また、本実施形態の図５のＳ５０４において、コードレス電話機５０から通信ＢＯＸ１０へ発信者名称を送信するとともに、コードレス電話機５０の表示部５９に発信者名称を表示させてもよい。なお、発信者名称とともに対応する発信者番号を表示させてもよい。
【００８３】
なお、図２および図３に示すフローチャートにおいて、Ｓ２０６およびＳ２３８は本発明の判断手段、Ｓ２１０およびＳ２３２は本発明の番号送信手段、Ｓ２１２、Ｓ２３４、およびＳ２５６は本発明の名称受信手段、Ｓ２２４は本発明の記憶手段、Ｓ２３６は本発明の信号検出手段、Ｓ２０４は本発明の表示制御手段、Ｓ２４６は本発明の通話開始検出手段、Ｓ２５０は本発明の通話終了検出手段に相当する。
【００８４】
また、図４に示すフローチャートにおいて、Ｓ４００は本発明の第１検出手段、Ｓ４０６は本発明の第１名称送信手段に相当する。
【００８５】
また、図５に示すフローチャートにおいて、Ｓ５００は本発明の第２検出手段、Ｓ５０４は本発明の第２名称送信手段に相当する。
【符号の説明】
【００８６】
１                通信システム
３                外部ファクシミリ装置
４                公衆電話回線網（ＰＳＴＮ）
５                外部電話装置
１０              通信ＢＯＸ
１１              ＮＣＵ
１４、３４        ＷＬＡＮ通信部
１５、５５        ＤＣＬ通信部
１６、３２、５２  記憶部
１９、３９、５９  表示部
２０、４０、６０  制御部
２１、４１        ＣＰＵ
２３、４３        ＲＯＭ
２５、４５        ＲＡＭ
２７              ＦＡＸ番号テーブル
２９              着信履歴
３０              ファクシミリ装置
３３              第１電話帳
５０              コードレス電話機
５３              第２電話帳
【図１】
2011066584.tif 000003
【図２】
2011066584.tif 000004
【図３】
2011066584.tif 000005
【図４】
2011066584.tif 000006
【図５】
2011066584.tif 000007